(57)【特許請求の範囲】
【請求項１】
浮標と、
前記浮標の外表面に設けられ、温度を測定する温度センサと、
前記浮標を水に浮かべた状態で、前記温度センサが水表面に接しているかを判別する少なくとも１つの検出手段と、
前記検出手段が、前記温度センサは水表面に接していると判断した場合に、前記温度センサの温度測定を可とする測定制御回路と、
測定された温度を示す水温情報を送信する情報送信部と、
を備えることを特徴とする水温測定装置。
【請求項２】
前記検出手段は、離隔した一対の部位双方が共に水に接触することで水に接触していると判定する前記浮標の外表面に設けられた第１の水センサであって、
前記温度センサは、前記一対の部位を前記浮標の外表面に直交する方向から見た場合、前記一対の部位の結線上に配置されることを特徴とする請求項１に記載の水温測定装置。
【請求項３】
前記水温測定装置は、前記浮標から外周方向でかつ略喫水線上に突出して形成された安定器を備え、
前記温度センサは、前記水温測定装置を水に浮かべた状態で、前記安定器に対して相対的に鉛直下方であり、前記安定器の近傍に位置することを特徴とする請求項１または２に記載の水温測定装置。
【請求項４】
前記測定制御回路は、前記第１の水センサと前記温度センサの閉回路の一部とすることで、前記第１の水センサが水に接触していると判定している間、前記温度センサに温度を測定させることを特徴とする請求項１から３のいずれか１項に記載の水温測定装置。
【請求項５】
前記浮標の外表面、かつ、前記水温測定装置を水に浮かべた状態における自体の水平位置が前記第１の水センサの水平位置および前記温度センサの水平位置より鉛直上方に設けられ、水に接触しているか否かを判定する第２の水センサをさらに備え、
前記測定制御回路は、前記第１の水センサが水に接触していると判定し、かつ、前記第２の水センサが水と接触していないと判定している間、前記温度センサに温度を測定させることを特徴とする請求項１から４のいずれか１項に記載の水温測定装置。
【請求項６】
前記浮標は、２つの部材からなり、
前記安定器は、前記２つの部材を接続するためのフランジであることを特徴とする請求項３に記載の水温測定装置。
【発明の詳細な説明】
【技術分野】
【０００１】
本発明は、水の温度を測定することが可能な水温測定装置に関する。
【背景技術】
【０００２】
気象学、海洋学の観点や、赤潮の発生や原油の流出、エルニーニョ現象といった世界的な異常気象等を早期に発見するために、海の表面の水温（海面水温：Sea Surface Temperature）の測定を行いたいという要望がある。
【０００３】
そこで、赤外線カメラを用いて海面を撮像し、時間的に前後して撮像された画像データを比較し、画素間の濃度差に基づいて海面の温度の変化を捉える技術が開示されている（例えば、特許文献１）。かかる技術は、海底パイプラインからのオイル漏れの検知を目的としたものであり、高温のオイルと、低温の海水の温度差に基づいて、赤外線カメラの撮像範囲における温度変化（オイル漏れがあるか否か）を捉えている。したがって、別途海面水温を測定し、測定した水温と画像データの濃度とを予め関連づけて、海面水温を算出している。
【先行技術文献】
【特許文献】
【０００４】
【特許文献１】特開２００３−２８７４５号公報
【発明の概要】
【発明が解決しようとする課題】
【０００５】
しかし、上述した特許文献１に記載された技術は、海面水温を測定するために、画像データを逐一解析しなければならず、処理負荷が大きかった。また、時間的に前後する画像データを介して間接的に海面水温を測定しているため、リアルタイム性に欠けていた。
【０００６】
そこで、ブイ（浮標）に温度計を設置して、かかる温度計で直接水面の温度を測定する方法が考えられるが、ブイの水面付近に温度計を設置すると、波等によってブイが傾き、温度計が大気中に曝されてしまい、水温と並行して気温も測定し、事後的に水温と気温を識別することもできなかった。例えば、波の影響によっても大気中に曝されない、水面から２０ｃｍ程度海中に温度計を設置すれば、直接水温を測定することはできるものの、水面ではなく水中の水温を測定することになってしまう。
【０００７】
そこで本発明は、このような課題に鑑み、温度の測定タイミングを工夫することで、気温の測定を確実に排除し、水温のみを確実に測定することが可能な、水温測定装置を提供することを目的としている。
【課題を解決するための手段】
【０００８】
上記課題を解決するために、本発明の水温測定装置は、浮標と、浮標の外表面に設けられ、温度を測定する温度センサと、浮標を水に浮かべた状態で、温度センサが水表面に接しているかを判別する少なくとも１つの検出手段と、検出手段が、温度センサは水表面に接していると判断した場合に、温度センサの温度測定を可とする測定制御回路と、測定された温度を示す水温情報を送信する情報送信部とを備えることを特徴とする。
【０００９】
検出手段は、離隔した一対の部位双方が共に水に接触することで水に接触していると判定する浮標の外表面に設けられた第１の水センサであって、温度センサは、一対の部位を浮標の外表面に直交する方向から見た場合、一対の部位の結線上に配置されてもよい。
【００１０】
水温測定装置は、浮標から外周方向でかつ略喫水線上に突出して形成された安定器を備え、温度センサは、水温測定装置を水に浮かべた状態で、安定器に対して相対的に鉛直下方であり、安定器の近傍に位置してもよい。
【００１１】
測定制御回路は、第１の水センサと温度センサの閉回路の一部とすることで、第１の水センサが水に接触していると判定している間、温度センサに温度を測定させてもよい。
【００１２】
浮標の外表面、かつ、水温測定装置を水に浮かべた状態における自体の水平位置が第１の水センサの水平位置および温度センサの水平位置より鉛直上方に設けられ、水に接触しているか否かを判定する第２の水センサをさらに備え、測定制御回路は、第１の水センサが水に接触していると判定し、かつ、第２の水センサが水と接触していないと判定している間、温度センサに温度を測定させてもよい。
【００１３】
浮標は、２つの部材からなり、安定器は、２つの部材を接続するためのフランジであってもよい。
【発明の効果】
【００１４】
以上説明したように本発明は、温度の測定タイミングを工夫することで、気温の測定を確実に排除し、水温のみを確実に測定することが可能となる。
【図面の簡単な説明】
【００１５】
【図１】第１の実施形態にかかる水温測定システムの概略的な位置関係を説明するための説明図である。
【図２】第１の実施形態にかかる水温測定装置の外観を説明するための説明図である。
【図３】第１の実施形態にかかる水温測定装置の外観を説明するための説明図である。
【図４】第１の実施形態にかかる水温測定装置の概略的な機能を示した機能ブロック図である。
【図５】温度センサおよび第１の水センサと、フランジの相対的な位置関係を説明するための、温度センサおよび第１の水センサの水平断面図である。
【図６】測定制御回路を説明するための説明図である。
【図７】第２の実施形態にかかる水温測定装置の外観を説明するための説明図である。
【図８】第２の実施形態にかかる水温測定装置の外観を説明するための説明図である。
【図９】第２の実施形態にかかる水温測定装置の概略的な機能を示した機能ブロック図である。
【発明を実施するための形態】
【００１６】
以下に添付図面を参照しながら、本発明の好適な実施形態について詳細に説明する。かかる実施形態に示す寸法、材料、その他具体的な数値等は、発明の理解を容易とするための例示にすぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００１７】
（第１の実施形態：水温測定システム１００）
図１は、第１の実施形態にかかる水温測定システム１００の概略的な位置関係を説明するための説明図である。図１に示すように、水温測定システム１００は、水温測定装置１１０と、衛星１２０と、情報集約装置１３０とを含んで構成される。
【００１８】
本実施形態の水温測定装置１１０は、例えば、海１０２に浮かべられ、海１０２の水温を測定する。水温測定装置１１０は、測定した水温を示す水温情報を、自体に設けられた後述する情報送信部を介して、衛星１２０に送信する。そして、衛星１２０は、受信した水温情報を、遠隔にある情報集約装置１３０に送信する。情報集約装置１３０は、水温情報を集約し、複数の水温測定装置１１０の水温情報の統計処理を行う。
【００１９】
水温測定装置１１０は、温度の測定タイミングを工夫することで、気温の測定を確実に排除し、水温のみを測定することを目的とする。以下、本実施形態にかかる水温測定装置１１０の具体的な構成について詳述する。
【００２０】
（水温測定装置１１０）
図２および図３は、第１の実施形態にかかる水温測定装置１１０の外観を説明するための説明図であり、図４は、第１の実施形態にかかる水温測定装置１１０の概略的な機能を示した機能ブロック図である。特に図３（ａ）は、水温測定装置１１０を水に浮かべた場合に水平方向から見た図を、図３（ｂ）は、水温測定装置１１０を水に浮かべた場合に鉛直下側から見た図を、図３（ｃ）、（ｄ）は、フランジを説明するための断面図をそれぞれ示す。
【００２１】
図２〜図４に示すように、水温測定装置１１０は、浮標（ブイ）２１０と、安定器２１２と、温度センサ２１４と、第１の水センサ（検出手段）２１６と、測定制御回路２１８と、気圧センサ２２０と、情報送信部２２２とを含んで構成される。
【００２２】
浮標２１０は、例えば、直径が６００ｍｍの球形状に形成され、浮力を利用して水温測定装置１１０自体を水面に浮かす役割を担う。
【００２３】
本実施形態において、安定器２１２は、浮標２１０から外周方向に突出して円盤状に形成される。また、安定器２１２は、水温測定装置１１０の重心を鉛直下部にした構造を備える。重心を鉛直下部にし、かつ浮標２１０の浮力に対して適度に重量を設定することにより、水温測定装置１１０を水に浮かべたときに安定器２１２の下面は略喫水線上に位置するように構成される。
【００２４】
ここで、安定器２１２は、水温測定装置１１０が略喫水線に対して傾くことを抑制する役割を担い、重心を鉛直下部にした構造は、水温測定装置１１０が略喫水線に対する傾きを復元する役割を担う。
【００２５】
図２および図３に示すように、安定器２１２は、例えば、浮標２１０の上半球部２１０ａと下半球部２１０ｂを接続するためのフランジ２３２であって、上半球部２１０ａと下半球部２１０ｂから水平方向にそれぞれ延長された、幅１００ｍｍのフランジ部材２３４（図２、３中２３４ａ、２３４ｂで示す）２枚で構成され、２枚のフランジ部材２３４ａ、２３４ｂは、鉛直方向に重ねられている。
【００２６】
図３（ｃ）に示すように、フランジ部材２３４には、鉛直方向に貫通する穴部２３６が形成されている。フランジ部材２３４に穴部２３６を形成することで、水温測定装置１１０全体の軽量化を図ることができる。また、穴部２３６は、フランジ部材２３４が波から受ける水による圧力の一部を、穴部２３６を通して逃がすことでダンパとして機能し、振動を吸収し、浮標２１０の姿勢を安定化する。
【００２７】
また、図３（ｄ）に示すように、フランジ部材２３４には、穴部２３６と異なる位置に、ボルト２３８ａを鉛直方向に挿通する孔２４０が形成される。孔２４０の浮標２１０方向のフランジ部材２３４ａ、２３４ｂの対向面には溝２３４ｃが形成され、その溝２３４ｃにＯリング２４２が設置される。
【００２８】
そして、孔２４０にボルト２３８ａを挿通し、ボルト２３８ａにナット２３８ｂを螺嵌させることで、図３（ｄ）中白抜矢印で示すように、Ｏリング２４２が押しつぶされて、フランジ部材２３４ａとフランジ部材２３４ｂとが密着する。かかる構成により、水温測定装置１１０の内側への水の浸入を回避することができる。なお、ここでは、Ｏリング２４２を設置するための溝２３４ｃをフランジ部材２３４ｂに形成しているため、フランジ部材２３４ｂは、フランジ部材２３４ａよりかかる溝の深さ分厚く形成される。
【００２９】
このような、浮標２１０の姿勢を安定化する安定器２１２を備えることで、波等によって浮標２１０が傾くことが抑制され、安定器２１２は、浮標２１０の下半球部２１０ｂが常に水中に没しているように作用する。
【００３０】
温度センサ２１４は、例えば、温度によって電気抵抗が変化するサーミスタや、熱電対等で構成され、温度センサ２１４周囲の温度を測定する。ここでは、温度センサ２１４としてサーミスタを例に挙げて説明する。
【００３１】
本実施形態において、温度センサ２１４は、水温測定装置１１０を水に浮かべた状態で、フランジ２３２（安定器２１２）に対して相対的に鉛直下方であり、フランジ２３２の外周より内側、かつ、フランジ２３２の近傍に位置する。よって、温度センサ２１４は、下半球部２１０ｂに設けられ、フランジ部材２３４ｂ直近に位置する。
【００３２】
このように、フランジ２３２に対して相対的に鉛直下方に温度センサ２１４を設ける構成により、当該水温測定装置１１０を水に浮かべた状態で、温度センサ２１４を水に接触させることができる。また、当該水温測定装置１１０を水に浮かべたときに、フランジ２３２の下面側が喫水線に位置することになるため、フランジ２３２に対して相対的に鉛直下方に温度センサ２１４を備えることで、温度センサ２１４は、水中ではなく、水面（水の表面、水表面）の温度を測定することが可能となる。
【００３３】
また、例えば、海面水温の測定を試みる場合、海には浮遊物等があるため、この浮遊物等が衝突して温度センサ２１４が破損してしまうおそれがある。しかし、フランジ２３２の外周より内側、かつ、フランジ２３２の近傍に温度センサ２１４を設ける構成により、温度センサ２１４より先に、フランジ２３２に浮遊物が衝突することになるため、浮遊物は温度センサ２１４の位置まで至らず、温度センサ２１４が破損し、水温測定が不可能になってしまうという事態を回避することができる。
【００３４】
さらに、水面の水温を測定する際に、直射日光による熱が水温の測定に影響することもある。本実施形態にかかる水温測定装置１１０は、フランジ２３２に対して相対的に鉛直下方であり、フランジ２３２の外周より内側に温度センサ２１４を設ける構成により、フランジ２３２が直射日光を遮ることで、直射日光による水温の測定への影響を回避することができる。
【００３５】
水温測定装置１１０は、水表面の温度を計ることを目的とするため、温度センサ２１４が水表面に接しているかを検出（判別）する手段が必要となる。本実施形態では水（海水）を電気的に検出する手段を例とするが、温度センサ２１４が水表面と接しているかを検出できればよく、水圧を検出してもよいし、また逆に大気を検出してもよい。
【００３６】
検出手段としての第１の水センサ２１６は、浮標２１０の外表面に設けられ、水に接触しているか否かを判定する。本実施形態において、第１の水センサ２１６は、離隔した一対の部位２１６ａ、２１６ｂ双方が共に水に接触するとき、水に接触していると判定する。第１の水センサ２１６は、液体（水）と気体（大気）の抵抗値（伝導係数）の違いを利用して、例えば、第１の水センサ２１６の部位２１６ａから部位２１６ｂへ電流を流したときの電流値を測定することで、液体と接触しているか否かを把握することができる。第１の水センサ２１６は、一対の部位２１６ａ、２１６ｂを離隔させた構成に限定されるものでもなく、例えば、一対の部位が同軸の構造等であってもよい。また、第１の水センサ２１６は、電流値を測定することで水との接触の有無を測定するものに限らず、水分子に吸収される波長を利用したセンサであってもよい。
【００３７】
図５は、温度センサ２１４および第１の水センサ２１６と、フランジ２３２の相対的な位置関係を説明するための、温度センサ２１４および第１の水センサ２１６の水平断面図である。
【００３８】
図５に示すように、温度センサ２１４は、第１の水センサ２１６の一対の部位２１６ａ、２１６ｂを浮標２１０の外表面に直交する方向から見た場合、一対の部位２１６ａ、２１６ｂの結線上、すなわち第１の水センサ２１６の一対の部位２１６ａ、２１６ｂの間に配置される。これにより、第１の水センサ２１６が水に接触していると判断されている間、第１の水センサ２１６の一対の部位２１６ａ、２１６ｂの間に位置する温度センサ２１４は、必然的に水に接触していることになる。したがって、後述する測定制御回路２１８は、第１の水センサ２１６を通じて、温度センサ２１４が水に接触しているか否かを確実に判定することができる。
【００３９】
ここで、第１の水センサ２１６の一対の部位２１６ａ、２１６ｂ間の距離を大きくしすぎると、温度センサ２１４が水と接触しているにも拘わらず、後述する測定制御回路２１８が、第１の水センサ２１６が水に接触していないと判定し、温度センサ２１４は、水温の測定を停止することが生じ得る。ここでは、水温の測定機会を増やすべく、第１の水センサ２１６の一対の部位２１６ａ、２１６ｂは、温度センサ２１４を隔てて可能な限り短い距離とするのがよい。
【００４０】
そして、図５に示すように、部位２１６ａは、Ｏリング２５０およびＯリング２５２ａによってシールされ、部位２１６ｂは、Ｏリング２５０およびＯリング２５２ｂによってシールされる。また、温度センサ２１４は、Ｏリング２５０によってシールされる。かかるＯリング２５０、２５２ａ、２５２ｂを備える構成により、浮標２１０への水の浸入を防止しつつ、浮標２１０の外表面に温度センサ２１４および第１の水センサ２１６を設置することが可能となる。
【００４１】
測定制御回路２１８は、検出手段が、温度センサ２１４は水表面に接していると判断した場合に、温度センサ２１４の温度測定を可とする。本実施形態において、測定制御回路２１８は、第１の水センサ２１６が水に接触していると判定している間、温度センサ２１４に温度を測定させる。
【００４２】
本実施形態において、温度センサ２１４は、第１の水センサ２１６の一対の部位２１６ａ、２１６ｂの結線上に配置されるため、第１の水センサ２１６が水に接触していると判定した場合、温度センサ２１４も水に接触していると推定することができる。したがって、測定制御回路２１８が、第１の水センサ２１６が水に接触していると判定している間（第１の水センサ２１６が導通している間）、温度センサ２１４に温度を測定させる構成により、温度センサ２１４に自体が水に接触している間のみ温度を測定させることができる。したがって、水温測定装置１１０は、気温を確実に排除し、水温のみを測定することが可能となる。
【００４３】
また、本実施形態において、測定制御回路２１８は、第１の水センサ２１６を通じて当該水温測定装置１１０近傍の水を温度センサ２１４の閉回路の一部とすることで、第１の水センサ２１６が水に接触していると判定している間、温度センサ２１４に温度を測定させる。
【００４４】
図６は、本実施形態にかかる測定制御回路２１８を説明するための説明図である。図６に示すように、測定制御回路２１８は、温度センサ２１４と第１の水センサ２１６とに直列に接続され、電圧電源２６０と、シャント抵抗２６２と、増幅器２６４と、Ａ／Ｄコンバータ２６６とを含んで構成される。例えば、第１の水センサ２１６の一対の部位２１６ａ、２１６ｂが水に接触すると、測定制御回路２１８が閉回路となり、温度センサ２１４の抵抗値（温度）に応じた電流が閉回路に流れる。そして、増幅器２６４は、シャント抵抗２６２の両端にかかる電圧を増幅し、Ａ／Ｄコンバータ２６６は、その増幅された電圧を温度値としてデータ化する。これにより、測定制御回路２１８は、温度値を取得することができる。
【００４５】
測定制御回路２１８は、第１の水センサ２１６の判定結果に基づいて、温度センサ２１４を制御するため、本来、第１の水センサ２１６を通じて水に接触しているか否かを判定する回路と、その判定結果を受けて温度センサ２１４による測定をＯＮ／ＯＦＦする機能部とが必要となる。
【００４６】
ここで、図６に示すように、第１の水センサ２１６自体を閉回路の一部とすると、第１の水センサ２１６が水と接触することで一対の部位２１６ａ、２１６ｂが通電する機能を上述したＯＮ／ＯＦＦ機能とすることができ、水に接触しているか否かを判定する回路と温度センサ２１４による測定をＯＮ／ＯＦＦする機能部とを省略することが可能となる。上述したように本実施形態にかかる温度センサ２１４は、サーミスタで構成されているため、水温を一意に特定できる電圧値または電流値を取得する。海水は、導電性が高く、海水の抵抗値のレンジよりサーミスタの抵抗値のレンジを大きくとることで、閉回路に海水を含むことの影響を最小限に抑えることができる。
【００４７】
例えば、第１の水センサ２１６が、海水に接触している場合に第１の水センサ２１６の抵抗値は数オーム〜１０数オームとなり、大気と接触している場合は、抵抗値は無限大となる。これに対し、温度センサ２１４は使用される温度範囲での抵抗変化範囲を数１０ｋオーム〜数１００ｋオームとする。
【００４８】
第１の水センサ２１６が海水に接触している場合、第１の水センサ２１６と温度センサ２１４の合成抵抗値は、ほぼ温度センサ２１４の抵抗値で決定され、第１の水センサ２１６の影響は皆無となる。
【００４９】
また第１の水センサ２１６が大気に接触している場合は、第１の水センサ２１６の抵抗値が無限大となり、温度センサ２１４が大気の温度により決まる抵抗値となる。この場合は温度センサ２１４の抵抗値の影響は受けず第１の水センサ２１６と温度センサ２１４の合成抵抗値は無限大となる。
【００５０】
よって、第１の水センサ２１６と温度センサ２１４とに予め定めた電圧を加えた閉回路に流れる電流は第１の水センサ２１６と温度センサ２１４とが海水に接触している場合と大気に接触している場合とで大きく異なる。
【００５１】
第１の水センサ２１６が大気に接触している場合には電流は流れず、第１の水センサ２１６が海水に接触している場合は温度センサ２１４の抵抗値により定まる電流値となる。
【００５２】
したがって、測定制御回路２１８は回路が接続されているときのみ電圧値または電流値を取得すれば、取得した電圧値または電流値は、水温に対応する値である。
【００５３】
測定制御回路２１８は、電圧値や電流値が水温にかかる値であることを、所定の閾値以上であることで判断する。例えば、水温を測定中にシャント抵抗に流れる電流の範囲が１０μＡ〜１５０μＡであれば、第１の水センサ２１６が大気と接触している場合の電流値である０μＡであることから、例えば閾値を５μＡとすればよい。
【００５４】
以上説明したように、測定制御回路２１８が、第１の水センサ２１６を通じて当該水温測定装置１１０近傍の水を温度センサ２１４の閉回路の一部とする構成により、回路や負荷を削減でき、ひいては信頼性を向上させることができる。特に、海上等のメンテナンス困難な場所では非常に有効である。
【００５５】
気圧センサ２２０は、水温測定装置１１０を水に浮かべたときの鉛直上方向の頂部に設けられ、水上の気圧を測定する。かかる気圧センサ２２０も、安定器２１２により、大気に触れる機会が多くなる、すなわち水圧ではなく気圧を測定する機会を大幅に増やすことができ、継続的に気圧を測定することが可能となる。
【００５６】
情報送信部２２２は、測定された温度を示す水温情報や、測定された気圧情報を、無線通信を利用して送信する。
【００５７】
ここで、情報送信部２２２は、水温情報や気圧情報を送信しているがこれに限定されず、測定制御回路２１８が算出した電圧値や電流値をそのまま送信してもよい。この場合、情報集約装置１３０は、かかる電圧値や電流値を解析することで水温を算出する。
【００５８】
以上説明したように、本実施形態にかかる水温測定装置１１０によれば、気温という不要な温度の測定を回避し、水温のみを確実に測定することができる。また、安定器２１２としてフランジ２３２を用い、かかるフランジ２３２に対して相対的に鉛直下方に温度センサ２１４を設ける構成により、水中ではなく水面の水温を測定することが可能となる。
【００５９】
（第２の実施形態：水温測定装置３１０）
本実施形態では、水温測定装置３１０が傾いて温度センサ２１４が水中に没した場合には水面の水温を測定していないため、水温測定を中止させる水温測定装置３１０について説明する。
【００６０】
図７および図８は、第２の実施形態にかかる水温測定装置３１０の外観を説明するための説明図であり、図９は、第２の実施形態にかかる水温測定装置３１０の概略的な機能を示した機能ブロック図である。
【００６１】
図７〜図９に示すように、水温測定装置３１０は、浮標（ブイ）２１０と、安定器２１２（フランジ２３２）と、温度センサ２１４と、第１の水センサ２１６と、第２の水センサ３１６と、測定制御回路３１８と、気圧センサ２２０と、情報送信部２２２とを含んで構成される。第１の実施形態における構成要素として既に述べた浮標（ブイ）２１０、安定器２１２（フランジ２３２）、温度センサ２１４、第１の水センサ２１６、気圧センサ２２０、情報送信部２２２は、実質的に機能が等しいので重複説明を省略し、ここでは、構成が相違する第２の水センサ３１６および測定制御回路３１８を主に説明する。
【００６２】
第２の水センサ３１６は、図８（ａ）、（ｂ）に示すように、浮標２１０の外表面、かつ、当該水温測定装置３１０を水に浮かべた状態における自体の水平位置が、第１の水センサ２１６の水平位置および温度センサ２１４の水平位置より鉛直上方に設けられ、水に接触しているか否かを判定する。
【００６３】
測定制御回路３１８は、第１の水センサ２１６が水に接触していると判定し、かつ、第２の水センサ３１６が水と接触していないと判定している間、温度センサ２１４に温度を測定させる。
【００６４】
図８（ｃ）に示すように、水温測定装置３１０が大波に曝されたりして、一時的にフランジ２３２が喫水線上に位置せず、大きく傾いてしまった場合、温度センサ２１４は、水面ではなく水中に位置することになる。この場合、第１の水センサ２１６は、水と接触していると判定するので、第１の水センサ２１６のみが設けられている場合、温度センサ２１４が測定する水温は、水面ではなく水中の温度になってしまう。
【００６５】
そこで、本実施形態の水温測定装置３１０は、第１の水センサ２１６とともに第２の水センサ３１６をさらに備え、測定制御回路３１８が、第１の水センサ２１６が水に接触していると判定し、かつ、第２の水センサ３１６が水と接触していないと判定している間、温度センサ２１４に温度を測定させる。
【００６６】
図８（ｃ）に示すように、水温測定装置３１０が大きく傾き、温度センサ２１４が水面ではなく水中に位置する場合、第２の水センサ３１６は、浮標２１０の外表面、かつ、当該水温測定装置３１０を水に浮かべた状態で、第１の水センサ２１６および温度センサ２１４の鉛直上方で、フランジ２３２に対して相対的に鉛直上方の位置に設けられるため、水と接触していると判定する。したがって、図８（ｃ）に示す状態にあるとき、測定制御回路３１８は、温度センサ２１４に温度を測定させない、または測定値を無効とするといった処理を行う。これにより、水温測定装置３１０は、水中の水温の測定を排除することができる。
【００６７】
一方、図８（ｄ）に示すように、水温測定装置３１０のフランジ２３２が喫水線上に位置し、温度センサ２１４および第１の水センサ２１６が水面に位置する場合、第２の水センサ３１６は、大気中に位置することになるため、水と接触していないと判定する。したがって、図８（ｄ）に示す状態にあるとき、測定制御回路３１８は、温度センサ２１４に温度を測定させる。これにより、水温測定装置３１０は、水面の水温の測定のみを行うことができる。
【００６８】
以上説明したように、本実施形態にかかる水温測定装置３１０によれば、フランジ２３２に対して相対的に鉛直下方に温度センサ２１４を設け、第１の水センサ２１６および温度センサ２１４の鉛直上方で、フランジ２３２に対して相対的に鉛直上方の位置に第２の水センサ３１６を設ける構成により、水中の水温の測定を確実に排除し、水面の水温のみを測定することが可能となる。
【００６９】
以上、添付図面を参照しながら本発明の好適な実施形態について説明したが、本発明はかかる実施形態に限定されないことは言うまでもない。当業者であれば、特許請求の範囲に記載された範疇において、各種の変更例または修正例に想到し得ることは明らかであり、それらについても当然に本発明の技術的範囲に属するものと了解される。
【産業上の利用可能性】
【００７０】
本発明は、水の温度を測定することが可能な水温測定装置に利用することができる。
【符号の説明】
【００７１】
１１０  …水温測定装置
２１０  …浮標
２１２  …安定器
２１４  …温度センサ
２１６  …第１の水センサ
２１８、３１８  …測定制御回路
２２２  …情報送信部
２３２  …フランジ
３１６  …第２の水センサ
【図１】
0005338755.tif 000002
【図２】
0005338755.tif 000003
【図３】
0005338755.tif 000004
【図４】
0005338755.tif 000005
【図５】
0005338755.tif 000006
【図６】
0005338755.tif 000007
【図７】
0005338755.tif 000008
【図８】
0005338755.tif 000009
【図９】
0005338755.tif 000010